(57)【要約】【課題】  部品点数の増加を防ぎつつ、簡便な構成によって回転式スイッチの操作ノブを効率よく照明することを可能とした照明付スイッチ装置を提供する。【解決手段】  ベース２の一面に設けられた回転式スイッチ３と、回転式スイッチ３の回転軸３ａに取り付けられて、当該回転軸３ａを回転操作する操作ノブ４と、ベース２の一面に設けられて、操作ノブ４を照明する光源５とを備え、操作ノブ４は、少なくとも一部が光源５から出射された光を導く導光部材６によって構成されると共に、一端が閉塞された外筒部４ａと、外筒部４ａの内側中央部に内筒部４ｂとを有し、且つ、内筒部４ｂに回転軸３ａを嵌合した状態で、外筒部４ａが回転式スイッチ３の周囲を囲むと共に、外筒部４ａの他端側がベース２の一面と摺動可能とされており、なお且つ、光源５が外筒部４ａの内側に配置されている。【選択図】  図２
2009187709.tif 000002
【特許請求の範囲】
【請求項１】
ベースの一面に設けられた回転式スイッチと、
前記回転式スイッチの回転軸に取り付けられて、当該回転軸を回転操作する操作ノブと、
前記ベースの一面に設けられて、前記操作ノブを照明する光源とを備え、
前記操作ノブは、少なくとも一部が前記光源から出射された光を導く導光部材によって構成されると共に、一端が閉塞された外筒部と、前記外筒部の内側中央部に内筒部とを有し、
且つ、前記内筒部に前記回転軸を嵌合した状態で、前記外筒部が前記回転式スイッチの周囲を囲むと共に、前記外筒部の他端側が前記ベースの一面と摺動可能とされており、
なお且つ、前記光源が前記外筒部の内側に配置されていることを特徴とする照明付スイッチ装置。
【請求項２】
前記操作ノブは、前記外筒部の他端面と内周面との間を周方向に切り欠くことにより形成された凹部を有し、
前記光源は、少なくとも一部が前記凹部の内側に位置するように配置されていることを特徴とする請求項１に記載の照明付スイッチ装置。
【請求項３】
前記操作ノブには、前記光源から前記導光部材に導入される光の量を周方向において変化させる光量変化部が設けられていることを特徴とする請求項１又は２に記載の照明付スイッチ装置。
【請求項４】
前記操作ノブと前記ベースとの何れかの摺動面に潤滑材が設けられていることを特徴とする請求項１〜３の何れか一項に記載の照明付スイッチ装置。
【請求項５】
前記操作ノブは、前記外筒部の一端側を外方に臨ませる孔部が設けられたパネルと、前記ベースとの間に挟み込まれた状態で配置されていることを特徴とする請求項１〜４の何れか一項に記載の照明付スイッチ装置。
【請求項６】
前記操作ノブと前記パネルとの何れかの摺動面に潤滑材が設けられていることを特徴とする請求項５に記載の照明付スイッチ装置。
【請求項７】
前記光源が前記外筒部の周方向に複数並んで配置されると共に、
前記操作ノブを回転させたときの角度を検出するセンサを備え、
前記センサの検出結果に基づいて、前記複数の光源の点灯が制御されることを特徴とする請求項１〜６の何れか一項に記載の照明付スイッチ装置。
【発明の詳細な説明】
【技術分野】
【０００１】
本発明は、回転式スイッチの操作ノブを照明するようにした照明付スイッチ装置に関する。
【背景技術】
【０００２】
従来より、照明付スイッチ装置では、例えばボリュームスイッチやダイヤルスイッチなどの回転式スイッチの操作ノブを照明するための様々な工夫が行われている（例えば、特許文献１，２などを参照。）。具体的に、下記特許文献１には、ハウジング内に取り付けた照明レンズにボリュームスイッチのスイッチハウジングを直接固定し、ボリュームスイッチのダイアルノブをハウジングから露出することによって、ハウジングの穴縁とダイアルノブとの隙間からダイアルノブの周囲を照明レンズからの光でリング状に照明する構成が記載されている。
【０００３】
また、下記特許文献２には、ボリュームの軸に固着されたつまみの周囲を照明する採光板を底付きのリング状に形成し、採光板の底部に設けた穴にボリュームの軸を挿通して底部にボリュームを締着し、採光板を介してボリュームを支持するように構成し、つまみの周囲を照明するようにした構成が記載されている。
【特許文献１】特開平１１−８６６６３号公報
【特許文献２】特開平８−９７０１４号公報
【発明の開示】
【発明が解決しようとする課題】
【０００４】
しかしながら、上述した従来の照明付スイッチ装置では、操作ノブとは別に、この操作ノブの周囲を照明するための導光部材を設ける必要があるため、部品点数の増加によりコストが嵩むといった欠点がある。
【０００５】
また、従来の照明付スイッチ装置では、光源から出射された光を効率良く操作ノブの周囲へと導くことについて考慮されておらず、操作ノブの周囲を明るく照明するためには、光源の数を増やす必要がある。したがって、この場合も部品点数の増加によりコストが嵩むといった問題が発生してしまう。
【０００６】
さらに、従来の照明付スイッチ装置では、光源から導光部材に導入された光による照明とは別に、光源から導光部材に導入されずに漏れ出た光によって照明の見映えが悪くなることもある。
【０００７】
そこで、本発明は、このような従来の事情に鑑みて提案されたものであり、部品点数の増加を防ぎつつ、簡便な構成によって回転式スイッチの操作ノブを効率よく照明することを可能とした照明付スイッチ装置を提供することを目的とする。
【課題を解決するための手段】
【０００８】
上記目的を達成するために、本発明に係る照明付スイッチ装置は、ベースの一面に設けられた回転式スイッチと、回転式スイッチの回転軸に取り付けられて、当該回転軸を回転操作する操作ノブと、ベースの一面に設けられて、操作ノブを照明する光源とを備え、操作ノブは、少なくとも一部が光源から出射された光を導く導光部材によって構成されると共に、一端が閉塞された外筒部と、外筒部の内側中央部に内筒部とを有し、且つ、内筒部に回転軸を嵌合した状態で、外筒部が回転式スイッチの周囲を囲むと共に、外筒部の他端側がベースの一面と摺動可能とされており、なお且つ、光源が外筒部の内側に配置されていることを特徴とする。
この照明付スイッチ装置では、操作ノブの少なくとも一部を光源から出射された光を導く導光部材によって構成することで、部品点数の増加を防ぐことができる。そして、この照明付スイッチ装置では、操作ノブの内筒部に回転式スイッチの回転軸を嵌合した状態で、操作ノブの外筒部が回転式スイッチの周囲を囲むと共に、この外筒部の他端側がベースの一面と摺動可能とされており、なお且つ、光源が外筒部の内側に配置されていることから、光源から出射された光を効率良く操作ノブの導光部材へと導くことができる。
【０００９】
また、本発明に係る照明付スイッチ装置では、操作ノブの外筒部の他端面と内周面との間を周方向に切り欠くことにより形成された凹部の内側に、光源を少なくともその一部が位置するように配置することで、光源から出射された光を更に効率良く導光部材へと導くことができる。
【００１０】
また、本発明に係る照明付スイッチ装置では、光源から導光部材に導入される光の量を周方向において変化させる光量変化部を操作ノブに設けることで、操作ノブを回転させたときの角度によって操作ノブに対する照明の輝度を異ならせることができる。
【００１１】
また、本発明に係る照明付スイッチ装置では、操作ノブとベースとの何れかの摺動面に潤滑材を設けることで、ベースに対する操作ノブの摺動抵抗を下げることができる。
【００１２】
また、本発明に係る照明付スイッチ装置では、パネルの孔部から外方に臨む操作ノブを、このパネルとベースとの間で挟み込んだ状態で配置することで、パネルの孔部と操作ノブとの間の隙間から不要な光が漏れ出るのを防ぎつつ、光源から導光部材に導入された光によって操作ノブを見映え良く照明することができる。さらに、操作ノブをパネルとベースとの間で挟み込んだ状態とすることで、この操作ノブを回転操作したときのガタツキの発生も抑えることができる。
【００１３】
さらに、この照明付スイッチ装置では、操作ノブとパネルとの何れかの摺動面に潤滑材を設けることで、パネルに対する操作ノブの摺動抵抗を下げることができる。
【００１４】
また、本発明に係る照明付スイッチ装置では、外筒部の周方向に光源を複数並べて配置し、操作ノブを回転させたときの角度を検出するセンサを設けて、このセンサの検出結果に基づいて、複数の光源の点灯が制御される構成とすることで、操作ノブを回転させたときの角度によって、光源を選択的に点灯させたり、操作ノブに対する照明の輝度を異ならせたり、或いは色の異なる光源を用いることによって照明の色を異ならせたりすることもできる。
【発明の効果】
【００１５】
以上のように、本発明に係る照明付スイッチ装置では、部品点数の増加を防ぎつつ、簡便な構成によって回転式スイッチの操作ノブを効率よく照明することが可能である。
また、本発明に係る照明付スイッチ装置では、操作ノブに対する照明の輝度を異ならせたり、照明の色を異ならせたりすることが可能である。
さらに、本発明に係る照明付スイッチ装置では、操作ノブを回転操作したときのガタツキの発生を抑えることが可能である。
【発明を実施するための最良の形態】
【００１６】
以下、本発明を適用した照明付スイッチ装置について、図面を参照して詳細に説明する。
図１は、本発明を適用した照明付スイッチ装置１がパネル２０に組み込まれた状態を示す平面図である。図２は、照明付スイッチ装置１の図１中に示す線分Ｘ−Ｘ’による断面図である。図３は、照明付スイッチ装置１の構成を示す分解斜視図である。図４は、照明付スイッチ装置１を構成する各部の側面図である。
【００１７】
なお、本発明を適用した照明付スイッチ装置１は、回転式スイッチによるボリューム調整が必要な機器に対して幅広く適用することが可能であるが、ここでは、スピーカなどの音源の音量レベルを調整するような音響機器に対して、本発明の照明付スイッチ装置１を適用した場合を例に挙げて説明する。
【００１８】
本発明を適用した照明付スイッチ装置１は、図１乃至図４に示すように、基板２と、この基板２上に設けられたボリュームスイッチ３と、このボリュームスイッチ３のボリューム軸３ａに取り付けられるボリュームノブ４と、基板２上に設けられたＬＥＤ５とを備え、パネル２０に設けられた孔部２０ａから外方に臨むボリュームノブ４をＬＥＤ５によって照明するようにしたものである。
【００１９】
なお、パネル２０は、音響機器の筐体（キャビネット）２１の一部を構成するものであり、基板２は、このパネル２０を含む筐体２１の内面に設けられたストッパ２２によって筐体２１内に位置決め固定されている。
【００２０】
ボリュームスイッチ３は、回転軸であるボリューム軸３ａを回転させることで音量レベル（ボリューム）を調整する回転式スイッチであり、ボリューム軸３ａを上方に向けた状態で基板２上の所定の位置に実装されている。また、ボリュームスイッチ３の接続端子（図示せず。）は、基板２に形成された配線（図示せず。）と電気的に接続されている。
【００２１】
ボリュームスイッチ３は、この基板２を介して音響機器内の制御回路（図示せず。）と電気的に接続されており、この制御回路は、ボリュームノブ４を回転操作したときに、ボリューム軸３ａの位置によって変化するボリュームスイッチ３からの出力信号に基づいて、スピーカの音量レベルを調整することになる。
【００２２】
なお、音響機器は、この他にも、スピーカの音量を増幅させるためのアンプ、外部から音声信号を入力するための外部入力ジャック、外部電源（商用電源）からコンセントを介して供給される電力を交流から直流に変換し、所定の電圧値に変換した後に各部に供給する電源回路等を備えている。また、音響機器が小型の場合には、外部電源の代わりに、バッテリ等の内部電源を搭載して各部に電力が供給される構成としてもよい。
【００２３】
ボリュームノブ４は、ボリュームスイッチ３のボリューム軸３ａを回転操作する操作ノブであり、一端が閉塞された外筒部４ａと、外筒部４ａの内側中央部に内筒部４ｂとを有している。また、このボリュームノブ４の少なくとも一部は、ＬＥＤ５から出射された光を導く導光部材６によって構成されている。
【００２４】
具体的に、この導光部材６は、図１乃至図５に示すように、外筒部４ａのうち、中心孔６ａが設けられた円板部６ｂと、この円板部６ｂにより一端が閉塞された円筒部６ｃとを構成している。そして、この導光部材６の中心孔６ａに、内筒部４ｂの一端を閉塞してなる別部材７を嵌め込むことによって、外筒部４ａ及び内筒部４ｂが構成されている。
【００２５】
外筒部４ａには、フランジ部４ｃが設けられている。このフランジ部４ｃは、上記導光部材６により形成されて、円筒部６ｃの一端側の外周面から全周に亘って突出されている。また、円板部６ｂの外面には、ボリュームノブ４の回転操作をし易くするための操作用の凹み４ｄが設けられている。
【００２６】
外筒部４ａには、円筒部６ｃの他端面と内周面との間を周方向に切り欠くことにより形成された凹部４ｅが設けられている。この凹部４ｅは、ＬＥＤ５の少なくとも一部をその内側に位置させる部分であり、ここでは外筒部４ａの全周に亘って設けられている。
【００２７】
内筒部４ｂは、図２及び図４に示すように、上記ボリューム軸３ａが嵌合される部分として、ボリューム軸３ａに対応した内形形状を有している。なお、上記ボリューム軸３ａは、その先端から軸線方向に一部を切り欠いた形状を有している（いわゆるＤピンタイプ）。これにより、照明付スイッチ装置１では、ボリュームノブ４を回転操作したときに、内筒部４ｂ内でボリューム軸３ａが空回りすることなく、ボリューム軸３ａをボリュームノブ４と一体に回転操作することが可能である。なお、ボリューム軸３ａは、このようなＤピンタイプに限らず、その他にもローレットタイプや割入れタイプなどであってもよく、内筒部４ｂの内形形状もこれらに対応した形状であればよい。
【００２８】
ボリュームノブ４は、図２に示すように、内筒部４ｂにボリューム軸３ａを嵌合した状態で、外筒部４ａがボリュームスイッチの周囲を囲むと共に、外筒部４ａの他端側が基板２の一面と摺動可能となっている。
【００２９】
さらに、このボリュームノブ４は、図１及び図２に示すように、孔部２０ａから外方に臨むと共に、パネル２０と基板２との間に挟み込まれた状態で配置されている。具体的に、このボリュームノブ４は、外筒部４ａの一端側を孔部２０ａから外方に臨ませた状態で、フランジ部４ｃがパネル２０の内面に当接されることによって、内筒部４ｂからボリューム軸３ａが抜ける方向への移動が規制されている。そして、ボリュームノブ４を回転操作したときには、フランジ部４ｃがパネル２０の内面と摺動可能となっている。なお、ボリュームノブ４は、パネル２０に組み込まれた状態での見映えを良くするため、フランジ部４ｃがパネル２０の内面に当接された状態において、円板部６ｂの外面とパネル２０の外面とがほぼ面一となっている。
【００３０】
ここで、ボリュームノブ４と摺動される基板２及びパネル２０の摺動面には、図２、図３及び図４に示すように、潤滑部材８ａ，８ｂが設けられている。これら潤滑部材８ａ，８ｂは、基板２及びパネル２０に対するボリュームノブ４の摺動抵抗を下げるためのものであり、それぞれの摺動面に対応したリング形状を有している。また、潤滑部材８ａ，８ｂとしては、例えばフッ素樹脂やポリペンコアセタール(ＰＯＭ)などを用いることができる。
【００３１】
ＬＥＤ５は、ボリュームノブ４を照明するための光源であり、上記外筒部４ａの内側に配置されている。具体的に、このＬＥＤ５は、上記凹部４ｅの内側に位置するように、基板２上の潤滑部材８ａの内側に沿った位置に配置されている。また、ＬＥＤ５の接続端子（図示せず。）は、基板２に形成された配線（図示せず。）と電気的に接続されている。そして、ＬＥＤ５は、この基板２を介して電力の供給を受けながら、上述した制御回路によってその点灯が制御されることになる。
【００３２】
以上のような構造を有する照明付スイッチ装置１では、ボリュームノブ４自体をＬＥＤ５から出射された光を導く導光部材６によって構成することで、従来のようなボリュームノブ４とは別に導光部材を設けた場合よりも、部品点数の増加を防ぐことが可能である。
【００３３】
また、この照明付スイッチ装置１では、ボリュームノブ４の内筒部４ｂにボリュームスイッチ３のボリューム軸３ａを嵌合した状態で、ボリュームノブ４の外筒部４ａがボリュームスイッチの周囲を囲むと共に、この外筒部４ａの他端側が基板２の一面と摺動可能とされており、なお且つ、ＬＥＤ５が外筒部４ａの内側に配置されている。そして、ＬＥＤ５から出射された光は、導光部材６に導入されて、ボリュームノブ４を照明することになる。
【００３４】
この場合、ボリュームノブ４の内側と基板２との間に形成される密閉された空間内にＬＥＤ５が配置されることで、このＬＥＤ５から出射された光を効率良くボリュームノブ４の導光部材６へと導くことが可能である。
【００３５】
さらに、この照明付スイッチ装置１では、上記凹部４ｅの内側にＬＥＤ５を配置することで、ＬＥＤ５から出射されて、この凹部４ｅから導光部材６内に導入された光を円筒部６ｃから円板部６ｂへと効率良く導きながら、ボリュームノブ４を明るく照明することが可能である。
【００３６】
また、上記ボリュームノブ４では、ボリュームスイッチ３のボリューム軸３ａを部材７で隠すことにより見映えを良くし、なお且つ、導光部材６で構成された外筒部４ａの円板部６ｂ及び円筒部６ｃにＬＥＤ５から出射された光を効率よく導くことによって、より明るく発光させることができる。
【００３７】
また、この照明付スイッチ装置１では、パネル２０の孔部２０ａから外方に臨むボリュームノブ４を、このパネル２０と基板２との間で挟み込んだ状態で配置することで、パネル２０の孔部２０ａとボリュームノブ４との間の隙間から不要な光が漏れ出るのを防ぎつつ、ＬＥＤ５から導光部材６に導入された光によってボリュームノブ４を見映え良く照明することが可能である。
【００３８】
また、この照明付スイッチ装置１では、ボリュームノブ４をパネル２０と基板２との間で挟み込んだ状態とすることで、このボリュームノブ４を回転操作したときのガタツキの発生も抑えることが可能である。
【００３９】
さらに、この照明付スイッチ装置１では、上記潤滑部材８ａ，８ｂをボリュームノブ４と基板２及びパネル２０との間に介在させることで、ボリュームノブ４を滑らかに回転操作することが可能であり、摺動面の摩耗も防ぐことが可能である。
【００４０】
なお、本発明を適用した照明付スイッチ装置１は、上記構成に必ずしも限定されるものではなく、本発明の趣旨を逸脱しない範囲において種々の変更を加えることが可能である。
例えば、上記ボリュームノブ４には、図６及び図７に示すように、ＬＥＤ５から導光部材６に導入される光の量を周方向において変化させる光量変化部３０Ａを設けることが可能である。具体的に、この光量変化部３０Ａは、上記外筒部４ａの凹部４ｅが形成された面に、周方向において順次高さを異ならせた段差３１ａ，３１ｂ，３１ｃを設けた構成となっている。
【００４１】
この構成の場合、ボリュームノブ４を回転させたときの角度によって、ＬＥＤ５と段差３１ａ，３１ｂ，３１ｃとの距離が段階的に変化するため、ＬＥＤ５から導光部材６に導入される光の量を周方向において変化させることができる。したがって、本発明を適用した照明付スイッチ装置１では、このような光量変化部３０Ａをボリュームノブ４に設けることで、ボリュームノブ４を回転させたときの角度に応じてボリュームノブ４に対する照明の輝度を異ならせることが可能である。
【００４２】
例えば、音量レベルが０となる位置にボリュームノブ４があるときには、ＬＥＤ５と段差３１ｃとの距離を大きくする。これにより、ＬＥＤ５から導光部材６に導入される光の量を少なくし、ボリュームノブ４に対する照明の輝度を小さくすることができる。一方、ボリュームノブ４を回転操作しながら音量レベルが大きくしていったときには、ＬＥＤ５と段差３１ｂ，３１ａとの距離を段階的に小さくする。これにより、ＬＥＤ５から導光部材６に導入される光の量が増加するようにし、ボリュームノブ４に対する照明の輝度を段階的に大きくすることができる。
このように、本発明を適用した照明付スイッチ装置１では、ボリュームノブ４を回転させたときの角度によってボリュームノブ４に対する照明の輝度を異ならせることが可能である。
【００４３】
また、上記ボリュームノブ４には、例えば図８及び図９に示すような光量変化部１０Ｂを設けることも可能である。具体的に、この光量変化部１０Ｂは、上記外筒部４ａの凹部４ｅが形成された面に、周方向において表面処理を施した表面処理部３２であり、例えば凹部４ｅの底面に無数の刻みを設けることで、光の拡散状態を異ならせている。
【００４４】
したがって、この構成の場合も、ボリュームノブ４を回転させたときの角度によって、ＬＥＤ５から導光部材６に導入される光の量を周方向において変化させることができる。したがって、本発明を適用した照明付スイッチ装置１では、このような光量変化部３０Ｂをボリュームノブ４に設けることで、ボリュームノブ４を回転させたときの角度に応じてボリュームノブ４に対する照明の輝度を異ならせることが可能である。
【００４５】
なお、表面処理部３２には、ＬＥＤ５から導光部材６に導入される光の量を周方向において変化させる表面処理であれば、光の拡散状態を異ならせる方法以外にも、別の方法を用いることができる。また、上記外筒部４ａの凹部４ｅに、周方向において色の異なるフィルム等を設けた場合には、ボリュームノブ４を回転させたときの角度によって、ボリュームノブ４の照明の色を異ならせることも可能である。
【００４６】
また、本発明を適用した照明付スイッチ装置１では、例えば図１０及び図１１に示すように、上記基板２上に複数のＬＥＤ５を配置した構成としてもよい。具体的に、図１０及び図１１に示す構成では、各ＬＥＤ５が上記凹部４ｅの内側に位置するように基板２上に並んで配置されている。
【００４７】
また、上記基板２上には、ボリュームノブ４を回転させたときの角度を検出するセンサとして、複数のホール素子４１が上記ＬＥＤ５と共に同一円周上に交互に並んで配置されている。一方、上記外筒部４ａの凹部４ｅには、磁石４２が配置されている。
【００４８】
この構成の場合、ボリュームノブ４を回転させたときに、磁石４２と対向するホール素子４１が磁石４２からの磁界を検出することによって、ボリュームノブ４の角度位置を検出する。そして、この検出結果に基づいて、複数のＬＥＤ５の点灯を制御することが可能となっている。
【００４９】
この場合、例えば、ボリュームノブ４を回転させたときの角度によって、ＬＥＤ５を選択的に点灯させたり、ボリュームノブ４に対する照明の輝度を異ならせたりすることが可能である。また、色の異なるＬＥＤ５を用いた場合には、ボリュームノブ４を回転させたときの角度によって、照明の色を異ならせたりすることも可能である。
【００５０】
なお、上記照明付スイッチ装置１では、ＬＥＤ５を１つだけ配置した構成であっても、ボリュームノブ４を回転させたときの角度によって、ボリュームノブ４に対する照明の輝度を異ならせたり、フルカラータイプのＬＥＤ５を用いることによって照明の色を異ならせたりすることが可能である。
【００５１】
なお、上記照明付スイッチ装置１では、上記ボリュームノブ４が導光部材６及び別部材７によって構成されているが、このような構成に限らず、上記ボリュームノブ４を導光部材６のみで構成とすることも可能である。
【００５２】
また、上記照明付スイッチ装置１では、上記導光部材６によって形成された外筒部４ａの外周面から光が漏れ出ることを防ぐため、この外筒部４ａの外周面に反射膜等を設けたり、そのための表面処理等を施したりすることも可能である。これにより、上記ボリュームノブ４を更に明るく照明することが可能である。
【００５３】
また、上記ボリュームノブ４を照明する光源としては、上記ＬＥＤ５に限らず、ランプ等を用いることも可能である。また、光源の配置や数についても任意に調整することが可能である。
【００５４】
また、上記潤滑部材８ａ，８ｂは、上記基板２及びパネル２０側の摺動面に設けた構成に限らず、ボリュームノブ４側の摺動面に設けた構成とすることも可能である。
さらに、基板２及びパネル２０に対するボリュームノブ４の摺動抵抗を下げる潤滑材としては、上記潤滑部材８ａ，８ｂに限らず、液状の潤滑剤を摺動面に塗布することも可能である。
【００５５】
上記ボリュームノブ４を回転させたときの角度を検出するセンサとしては、上記ホール素子４１と磁石４２との組み合わせに限らず、従来公知のセンサを用いることができる。また、上述した光源の点灯制御についても、光源の配置や数などに応じて適宜変更して実施することができる。
【図面の簡単な説明】
【００５６】
【図１】図１は、本発明を適用した照明付スイッチ装置がパネルに組み込まれた状態を示す平面図である。
【図２】図２は、照明付スイッチ装置の図１中に示す線分Ｘ−Ｘ’による断面図である。
【図３】図３は、照明付スイッチ装置の構成を示す分解斜視図である。
【図４】図４は、照明付スイッチ装置を構成する各部の側面図である。
【図５】図５は、ボリュームノブを示す斜視図である。
【図６】図６は、光量変化部が設けられたボリュームノブを示す斜視図である。
【図７】図７は、図６に示すボリュームノブを備えた照明付スイッチ装置の断面図である。
【図８】図８は、別の光量変化部が設けられたボリュームノブを示す斜視図である。
【図９】図９は、図７に示すボリュームノブを備えた照明付スイッチ装置の平面図である。
【図１０】図１０は、変形例となる照明付スイッチ装置の一部を切り欠いて示す斜視図である。
【図１１】図１１は、磁石が設けられたボリュームノブを示す斜視図である。
【符号の説明】
【００５７】
１…照明付スイッチ装置  ２…基板（ベース）  ３…ボリュームスイッチ（回転式スイッチ）  ３ａ…ボリューム軸（回転軸）  ４…ボリュームノブ（操作ノブ）  ４ａ…外筒部  ４ｂ…内筒部  ４ｃ…ヒンジ部  ４ｄ…凹み  ４ｅ…凹部    ５…ＬＥＤ（光源）  ６…導光部材  ８ａ，８ｂ…潤滑部材  １０…光量変化部  ２０…パネル  ２０ａ…孔部  ３０Ａ，３０Ｂ…光量変化部  ３１…段差  ３２…表面処理部  ４１…ホール素子（センサ）  ４２…磁石
【図１】
2009187709.tif 000003
【図２】
2009187709.tif 000004
【図３】
2009187709.tif 000005
【図４】
2009187709.tif 000006
【図５】
2009187709.tif 000007
【図６】
2009187709.tif 000008
【図７】
2009187709.tif 000009
【図８】
2009187709.tif 000010
【図９】
2009187709.tif 000011
【図１０】
2009187709.tif 000012
【図１１】
2009187709.tif 000013